【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
チケット所有者と当該チケットに関連するセルフサービス機能とのインタラクションを容易にする方法であって、
前記チケットに関するチケット情報および当該チケットに関連する前記セルフサービス機能に関する情報が格納されているモバイルデバイスによって、前記セルフサービス機能への近接を検出するステップと、
前記モバイルデバイスが該セルフサービス機能への近接を検出したら、前記モバイルデバイス上で、前記セルフサービス機能に関連するアプリケーションを起動するステップと、
前記アプリケーション及びクラウドサービスを介して前記モバイルデバイスと通信するステップと、を含み、前記チケット所有者と前記セルフサービス機能との間のインタラクションに関する情報に方向情報が含まれており、前記クラウドサービスは、前記モバイルデバイスと前記セルフサービス機能との間のブローカとして機能する、方法。
【請求項２】
前記モバイルデバイスは、前記セルフサービス機能への近接を示すジオロケーションデバイスを検出する、請求項１に記載の方法。
【請求項３】
前記アプリケーションは、前記モバイルデバイスに格納されている前記チケット情報を照会し、当該チケット情報をリモートサーバに通信する、請求項１に記載の方法。
【請求項４】
前記リモートサーバは、前記チケット情報の受信に応答して、前記モバイルデバイスのユーザに提示するために、前記セルフサービス機能に関する情報を前記アプリケーションに提供する、請求項３に記載の方法。
【請求項５】
前記セルフサービス機能がバッグドロップであり、前記チケット情報が搭乗券であり、当該搭乗券の乗客情報を出発管理システムに通信するステップを含む、請求項１に記載の方法。
【請求項６】
前記出発管理システムによって、前記搭乗券に関連する手荷物が前記バッグドロップに適格であるかどうかを判定し、その適格性を前記モバイルデバイスに通信するステップを含む、請求項５に記載の方法。
【請求項７】
前記バッグドロップでバッグを預け入れる際に、前記バッグの重量を測定し、当該重量が許容重量を超えているかどうかを判定し、当該重量が許容重量を超えている場合は、前記アプリケーションを介して超過手荷物料金の支払いを手配するステップを含む、請求項５に記載の方法。
【請求項８】
前記バッグドロップでバッグタグを印刷し、当該バッグタグをバッグに固定する指示を、ユーザに提示するために、前記アプリケーションを介して前記モバイルデバイスに通信するステップを含む、請求項５に記載の方法。
【請求項９】
前記バッグドロップによるバッグの受領時に、搭乗および出発ゲートへのルートに関する情報を前記アプリケーションに通信するステップを含む、請求項５に記載の方法。
【請求項１０】
チケット所有者と当該チケットに関連するセルフサービス機能とのインタラクションを容易にする方法であって、
前記チケットに関連するセルフサービス機能に近接する位置において、前記チケットに関するチケット情報が格納されているモバイルデバイス上で、前記セルフサービス機能に関連するアプリケーションを起動するステップと、
前記アプリケーション及びクラウドサービスを介して前記モバイルデバイスと通信するステップと、を含み、前記チケット所有者と前記セルフサービス機能との間のインタラクションに関する情報に方向情報が含まれており、前記クラウドサービスは、前記モバイルデバイスと前記セルフサービス機能との間のブローカとして機能する、方法。
【請求項１１】
前記アプリケーションは、前記モバイルデバイスを使用してバーコードをスキャンまたは撮像することにより起動される、請求項１０に記載の方法。
【請求項１２】
チケット所有者と当該チケットに関連するセルフサービス機能とのインタラクションを容易にするためのシステムであって、
セルフサービス機能と、
前記チケットに関するチケット情報が格納されているモバイルデバイスと、
少なくともジオロケーションデバイスであって、前記モバイルデバイスが、セルフサービス機能に近接する位置で当該ジオロケーションデバイスを検出するように構成されている、ジオロケーションデバイスと、
少なくとも１つのサーバであって、
前記モバイルデバイスが、該位置に近接するジオロケーションデバイスを検出したら、前記モバイルデバイス上で、前記セルフサービス機能に関連するアプリケーションを起動するステップと、
前記アプリケーション及びクラウドサービスを介して前記モバイルデバイスと通信するステップと、を実行するためのコンピュータソフトウェアが格納されている少なくとも１つのサーバと、を備え、前記チケット所有者と前記セルフサービス機能との間のインタラクションに関する情報に方向情報が含まれており、前記クラウドサービスは、前記モバイルデバイスと前記セルフサービス機能との間のブローカとして機能する、システム。
【請求項１３】
前記アプリケーションは、前記モバイルデバイスに格納されている前記チケット情報を照会し、当該チケット情報を前記サーバに通信する、請求項１２に記載のシステム。
【請求項１４】
前記サーバは、前記チケット情報の受信に応答して、前記モバイルデバイスのユーザに提示するために、前記セルフサービス機能に関する情報を前記アプリケーションに提供する、請求項１３に記載のシステム。
【請求項１５】
出発管理システムを備え、前記セルフサービス機能が、手荷物取扱いシステムとバッグドロップコントローラとを備えるバッグドロップであり、前記チケット情報が搭乗券であり、前記搭乗券の乗客情報を出発管理システムに通信することを含む、請求項１２に記載のシステム。
【請求項１６】
前記出発管理システムは、前記搭乗券に関連する手荷物が前記バッグドロップに適格であるかどうかを判定し、その適格性を前記モバイルデバイスに通信するように構成されている、請求項１５に記載のシステム。
【請求項１７】
前記手荷物取扱いシステムは、前記バッグドロップでバッグが預けられた際に当該バッグの重量を測定し、当該重量が許容重量を超えていないかどうかを判定し、当該重量が許容重量を超えている場合には、前記アプリケーションを介して超過手荷物料金の支払いを手配するための計量装置を備える、請求項１６に記載のシステム。
【請求項１８】
前記手荷物取扱いシステムは、バッグタグを印刷するためのプリンタを備え、前記バッグドロップコントローラは、前記バッグタグをバッグに固定する指示を、ユーザに提示するために、前記アプリケーションを介して前記モバイルデバイスに通信するように構成されている、請求項１６に記載のシステム。
【請求項１９】
前記バッグドロップによるバッグの受領時に、前記システムは、搭乗および出発ゲートへのルートに関する情報を前記アプリケーションに通信するように構成されている、請求項１５に記載のシステム。
【手続補正２】
【補正対象書類名】明細書
【補正対象項目名】０００７
【補正方法】変更
【補正の内容】
【０００７】
本発明の一態様によれば、チケット所有者と当該チケットに関連するセルフサービス機能とのインタラクションを容易にする方法が提供され、当該方法は：チケットに関するチケット情報および当該チケットに関連するセルフサービス機能に関する情報が格納されているモバイルデバイスによって、セルフサービス機能への近接を検出するステップと；モバイルデバイスが該セルフサービス機能への近接を検出したら、モバイルデバイス上で、セルフサービス機能に関連するアプリケーションを起動するステップと、アプリケーション及びクラウドサービスを介してモバイルデバイスと通信するステップと、を含み、チケット所有者とセルフサービス機能との間のインタラクションに関する情報に方向情報が含まれており、クラウドサービスは、モバイルデバイスとセルフサービス機能との間のブローカとして機能する。
【手続補正３】
【補正対象書類名】明細書
【補正対象項目名】０００８
【補正方法】変更
【補正の内容】
【０００８】
本発明はまた、チケット所有者と当該チケットに関連するセルフサービス機能とのインタラクションを容易にするためのシステムを提供し、当該システムは：セルフサービス機能と；チケットに関するチケット情報が格納されているモバイルデバイスと；少なくともジオロケーションデバイスであって、モバイルデバイスが、セルフサービス機能に近接する位置で当該ジオロケーションデバイスを検出するように構成されている、ジオロケーションデバイスと；少なくとも１つのサーバであって、モバイルデバイスが、該位置に近接するジオロケーションデバイスを検出したら、モバイルデバイス上で、セルフサービス機能に関連するアプリケーションを起動するステップと、アプリケーション及びクラウドサービスを介してモバイルデバイスと通信するステップと、を実行するためのコンピュータソフトウェアが格納されている少なくとも１つのサーバと、を備え、チケット所有者とセルフサービス機能との間のインタラクションに関する情報に方向情報が含まれており、クラウドサービスは、モバイルデバイスとセルフサービス機能との間のブローカとして機能する。
【手続補正４】
【補正対象書類名】明細書
【補正対象項目名】０００９
【補正方法】変更
【補正の内容】
【０００９】
本発明の第２の態様は、チケット所有者と当該チケットに関連するセルフサービス機能とのインタラクションを容易にする方法を提供し、当該方法は：チケットに関連するセルフサービス機能に近接する位置において、チケットに関するチケット情報が格納されているモバイルデバイス上で、セルフサービス機能に関連するアプリケーションを起動するステップと；アプリケーション及びクラウドサービスを介して前記モバイルデバイスと通信するステップと、を含み、チケット所有者と前記セルフサービス機能との間のインタラクションに関する情報に方向情報が含まれており、クラウドサービスは、モバイルデバイスとセルフサービス機能との間のブローカとして機能する。